(57)【要約】  本明細書に開示の中央制御された複数患者透析処置システム（１）は、進行中の透析処置のために、処方に基づいて透析液を調製し、透析液供給を制御するように構成された透析液調製ユニット（２）と、透析器（４）に透析液を供給し、限外濾過プロセスを制御するように構成された１つまたは複数の透析液モジュール（３）と、透析処置のために透析器（４）を通る体外血液流を制御するように構成された１つまたは複数の患者モジュール（５）とを備え、透析液調製ユニット（２）、透析液モジュール（３）、および患者モジュール（５）は、１人または複数人の患者（６）に好適な統合透析処置システムに組み立てられるよう適応されるように構成されている。１人または複数人の患者の透析処置のための中央制御された複数患者透析処置システム（１）の使用も本明細書に開示する。中央制御された複数患者透析処置システムでは、従来の施設透析インフラストラクチャとは対照的に、コスト節約に加えて、空間効率が非常によい。さらに、中央制御された複数患者透析処置システムは、ロバストであり、セットアップが容易である。【選択図】図１
2022501088.tif 000002
【特許請求の範囲】
【請求項１】
中央制御された複数患者透析処置システムであって、
進行中の透析処置のために、処方に基づいて透析液を調製し、透析液供給を制御するように構成された透析液調製ユニットと、
透析器に前記透析液を供給し、限外濾過プロセスを制御するように構成された１つまたは複数の透析液モジュールと、
前記透析処置のために前記透析器を通る体外血液流を制御するように構成された１つまたは複数の患者モジュールと
を備え、
前記透析液調製ユニット、前記透析液モジュール、および前記患者モジュールは、１人または複数人の患者に好適な統合透析処置システムに組み立てられるよう適応されるように構成されている、中央制御された複数患者透析処置システム。
【請求項２】
前記透析液調製ユニットは、前記透析液モジュールと流体接続され、前記透析液調製ユニットは、
前記透析液を摂氏約３５度に加熱するように構成された加熱モジュールと、
処理済み水から空気を除去するように構成された脱気モジュールと、
粉末の形態の少なくとも１つの濃縮物カートリッジから液体濃縮液を調製するように構成された濃縮液調製モジュールと、
要求に応じて、処方された混合比で前記濃縮液と前記処理済み水を混合するように構成された調合ユニットと、
前記中央制御された複数患者透析処置システムの透析液分配ループの前に配設され、衛生管理を強化するように構成されたＥＴＲＦと
のうちのいずれか１つまたは複数を備える、請求項１に記載の中央制御された複数患者透析処置システム。
【請求項３】
前記加熱モジュールは、
排水管内の廃棄透析液からの熱を前記処理済み水に交換するように構成された熱交換器と、
前記処理済み水が前記脱気モジュールに入る前に、前記処理済み水を摂氏約３５度に加熱するように構成されたプレヒータと、
前記透析液分配ループの端部に設置され、前記透析液を摂氏約３５度に保つように構成されたフローヒータと
のうちのいずれか１つまたは複数をさらに備える、請求項２に記載の中央制御された複数患者透析処置システム。
【請求項４】
前記透析液モジュールは、前記透析液をそれぞれの前記患者モジュールに分配するように前記中央制御された複数患者透析処置システムの透析液分配ループと流体連通され、前記透析液モジュールは、
透析液温度を制御するように構成された透析温度制御モジュールと、
ＵＦポンプを用いて前記透析処置における限外濾過を制御するように構成されたバランシングシステムと
のうちのいずれか１つまたは複数を備え、前記ＵＦポンプは、前記透析処置における限外濾過量を制御するようにさらに構成されている、請求項１に記載の中央制御された複数患者透析処置システム。
【請求項５】
前記体外血液流のための流路は、前記透析器およびチュービングセットを備え、および／または、
前記透析温度制御モジュールは、前記バランシングシステムの前に配設され、ならびに処方された処置温度におよび／または加熱消毒のために前記透析液を加熱するように構成された透析液ヒータをさらに備える、
請求項４に記載の中央制御された複数患者透析処置システム。
【請求項６】
前記透析器は、好ましくは前記透析器の流入ポートおよび流出ポートをそれぞれのレセプタクルまたは透析液ラインにプラグ接続することによって、前記透析液モジュールまたは前記患者モジュールのいずれかにパッケージされることができる、
請求項１〜４のいずれか一項に記載の中央制御された複数患者透析処置システム。
【請求項７】
前記透析液調製ユニットは、前記中央制御された複数患者透析処置システムの透析液調製パラメータおよび／または前記中央制御された複数患者透析処置システムに接続された前記患者モジュールの処置ステータスをモニタおよび／または制御するための中央ステーションとして構成されている、
請求項１〜６のいずれか一項に記載の中央制御された複数患者透析処置システム。
【請求項８】
前記透析液調製ユニットは、キャビネット形状の形態で構成されている、
請求項１〜７のいずれか一項に記載の中央制御された複数患者透析処置システム。
【請求項９】
前記透析液モジュールは、
前記中央制御された複数患者透析処置システムの前記透析液分配ループに向かう逆流汚染を防止するための逆流防止器をさらに備える、請求項１〜８のいずれか一項に記載の中央制御された複数患者透析処置システム。
【請求項１０】
前記透析液モジュールは、
前記バランシングシステムに新しい透析液を入れるために安定した負荷圧力を維持するための圧力レギュレータをさらに備え、それにより、前記透析液モジュール内の前記バランシングシステムの負荷側の前記安定した負荷圧力から発生した動力駆動が利用されて、水圧設計を簡易化することができる、請求項４に記載の中央制御された複数患者透析処置システム。
【請求項１１】
前記透析液モジュールは、コネクタによって前記透析液分配ループに取り外し可能に接続される、
請求項４に記載の中央制御された複数患者透析処置システム。
【請求項１２】
前記患者モジュールは、
ユーザインターフェース、好ましくはそれぞれの前記透析処置を制御／セットアップするためのタッチスクリーンをさらに備える、
請求項１〜１１のいずれか一項に記載の中央制御された複数患者透析処置システム。
【請求項１３】
前記患者モジュールは、小型デバイスとして構成されており、および／または、
前記患者モジュールは、格納式壁掛けまたは可動スタンド上に保持されるよう適応されるように構成されている、
請求項１〜１２のいずれか一項に記載の中央制御された複数患者透析処置システム。
【請求項１４】
前記透析液モジュールおよびそれぞれの前記患者モジュールは、ベッドサイド装置として統合されることができる、
請求項１〜１３のいずれか一項に記載の中央制御された複数患者透析処置システム。
【請求項１５】
前記中央制御された透析処置システムは、
処理済み水を前記透析液調製ユニットに供給するように構成された水処理ユニットをさらに備える、
請求項１〜１４のいずれか一項に記載の中央制御された複数患者透析処置システム。
【請求項１６】
前記水処理ユニットは、前記中央制御された複数患者透析処置システムと統合され、好ましくは、前記透析液調製ユニットと統合されることができる、
請求項１〜１５のいずれか一項に記載の中央制御された複数患者透析処置システム。
【請求項１７】
前記中央制御された複数患者透析処置システムは、
前記透析液モジュールを個別にすすぎ、および／または消毒することを可能にするために、前記処理済み水を前記透析液モジュールに供給するように構成された追加のループをさらに備える、請求項１〜１６のいずれか一項に記載の中央制御された複数患者透析処置システム。
【請求項１８】
１人または複数人の患者の透析処置のための請求項１〜１７のいずれか一項に記載の中央制御された複数患者透析処置システムの使用法。
【発明の詳細な説明】
【技術分野】
【０００１】
本発明は、中央制御された複数患者透析処置システム、および１人または複数人の患者の透析処置のための中央制御された複数患者透析処置システムの使用法に関する。
【背景技術】
【０００２】
末期腎疾患（ＥＳＲＤ）患者数が、特に近年増加している。この疾患に対する効果的な治療方法である血液透析は、通常は腎臓によって除去される毒性物質および代謝産物を除去し、体液と電解質バランスの調節を支援するための処置である。血液透析は、通常、透析液を使用する透析装置によって行われる。
【０００３】
しかしながら、様々な要因により、比較的ごく一部のＥＳＲＤ患者しか透析治療を受けることができない。患者が標準的な血液透析で治療される未開発の市場にとって治療コストが非常に重要である。また安全性および効率も極めて重要である。新興市場の下層病院では今後１０年間で血液透析に対する著しい需要が見込まれ得る。これらの病院では、通常、酸性および塩基性濃縮液が、隣接する部屋で手作業で調製され、手作業で各透析装置に運ばれる。このプロセスは労働集約的であり、そして透析液品質を落とし得る。
【０００４】
より効率的かつ安全なソリューションとして、現在、多人数用透析液供給システム（ＣＤＤＳ：central dialysis fluid delivery system）が、透析液を調製し、複数のベッドサイド透析装置、例えば約３０〜４０個の透析装置に分配するために広く使用されている。このシステムにより、複数人の患者用の透析液の管理、洗浄液および消毒液の調製、およびこれらの溶液の各ベッドサイド透析装置への供給を組み合わせることによって、関与するメンテナンスおよび監督が簡易になる。このようなシステムが長年使用されてきた。通常、多人数の患者、例えば２０人以上の場合にコスト効率がよりよくなる。しかしながら、誤作動が全患者に影響を及ぼすこともあり、透析配管が長いことによる一定の汚染リスクがある。
【０００５】
さらに、通常はシステムの一部が、処置エリアから離れたところにある隔離された機器室に設置されており、システムで使用されるベッドサイド透析装置は、典型的には、ベッドサイド透析装置の設置面積が変わらないように透析液混合デバイスが取り除かれただけの標準的な血液透析装置である。しかしながら、機器室には、酸性および塩基性電力混合デバイスおよび中央透析液調製ユニットを収容するためにより大きい空間が必要である。さらに、各ベッドサイド透析装置は、約２メートルの透析液ライン接続を有し、その結果、主要なエンドトキシン除去フィルタ（ＥＴＲＦ）に加えて、衛生管理のために各透析装置に属する小さいＥＴＲＦが必要となる。
【０００６】
さらに、下層病院は、能力およびインフラストラクチャが限られたより小規模なものであり、新システムを計画しセットアップするのは、コストも時間もかかり、また場所もとる。既知のシステムは、コスト効率のよい治療ソリューションを提供するのにあまり好適でない。したがって、上記課題の少なくとも１つを克服するためにシステムの改善が必要である。
【発明の概要】
【０００７】
先行技術に存在する課題に鑑みて、本発明の目的は、中央制御された複数患者透析処置システム、および１人または複数人の患者の透析処置のための中央制御された複数患者透析処置システムの使用法を提供することである。
【０００８】
本目的を達成するために、第１の態様では、中央制御された複数患者透析処置システムが提供され、本システムは、進行中の透析処置のために、処方に基づいて透析液を調製し、透析液供給を制御するように構成された透析液調製ユニットと、透析器に透析液を供給し、限外濾過プロセスを制御するように構成された１つまたは複数の透析液モジュールと、透析処置のために透析器を通る体外血液流を制御するように構成された１つまたは複数の患者モジュールとを備え、透析液調製ユニット、透析液モジュール、および患者モジュールは、１人または複数人の患者に好適な統合透析処置システムに組み立てられるよう適応されるように構成されている。
【０００９】
本発明の任意選択の実施形態によれば、透析液調製ユニットは、透析液モジュールと流体接続され、透析液調製ユニットは、透析液を摂氏約３５度に加熱するように構成された加熱モジュールと、処理済み水から空気を除去するように構成された脱気モジュールと、粉末の形態の少なくとも１つの濃縮物カートリッジから液体濃縮液を調製するように構成された濃縮液調製モジュールと、要求に応じて、処方された混合比で濃縮液と処理済み水を混合するように構成された調合ユニットと、中央制御された複数患者透析処置システムの透析液分配ループの前に配設され、衛生管理を強化するように構成されたＥＴＲＦとのうちのいずれか１つまたは複数を備える。
【００１０】
本発明の任意選択の実施形態によれば、加熱モジュールは、排水管内の廃棄透析液からの熱を処理済み水に交換するように構成された熱交換器と、処理済み水が脱気モジュールに入る前に、処理済み水を摂氏約３５度に加熱するように構成されたプレヒータと、透析液分配ループの端部に設置され、透析液を摂氏約３５度に保つように構成されたフローヒータとのうちのいずれか１つまたは複数をさらに備える。
【００１１】
本発明の任意選択の実施形態によれば、透析液モジュールは、透析液をそれぞれの患者モジュールに分配するように中央制御された複数患者透析処置システムの透析液分配ループと流体連通され、この透析液モジュールは、透析液温度を制御するように構成された透析温度制御モジュールと、ＵＦポンプを用いて透析処置における限外濾過を制御するように構成されたバランシングシステムとのうちのいずれか１つまたは複数を備え、ＵＦポンプは、透析処置における限外濾過量を制御するようにさらに構成されている。
【００１２】
本発明の任意選択の実施形態によれば、体外血液流のための流路は、透析器およびチュービングセットを備え、および／または、透析温度制御モジュールは、バランシングシステムの前に配設され、ならびに処方された処置温度におよび／または加熱消毒のために透析液を加熱するように構成された透析液ヒータをさらに備える。
【００１３】
本発明の任意選択の実施形態によれば、透析器は、好ましくは透析器の流入ポートおよび流出ポートをそれぞれのレセプタクルまたは透析液ラインにプラグ接続することによって、透析液モジュールまたは患者モジュールのいずれかにパッケージされることができる。
【００１４】
本発明の任意選択の実施形態によれば、透析液調製ユニットは、中央制御された複数患者透析処置システムの透析液調製パラメータおよび／または中央制御された複数患者透析処置システムに接続された患者モジュールの処置ステータスをモニタおよび／または制御するための中央ステーションとして構成されている。
【００１５】
本発明の任意選択の実施形態によれば、透析液調製ユニットは、キャビネット形状の形態で構成されている。
【００１６】
本発明の任意選択の実施形態によれば、透析液モジュールは、中央制御された複数患者透析処置システムの透析液分配ループに向かう逆流汚染を防止するための逆流防止器をさらに備える。
【００１７】
本発明の任意選択の実施形態によれば、透析液モジュールは、バランシングシステムに新しい透析液を入れるために安定した負荷圧力を維持するための圧力レギュレータをさらに備え、それにより、透析液モジュール内のバランシングシステムの負荷側の安定した負荷圧力から発生した動力駆動が利用されて、水圧設計を簡易化することができる。
【００１８】
本発明の任意選択の実施形態によれば、透析液モジュールは、コネクタによって透析液分配ループに取り外し可能に接続される。
【００１９】
本発明の概念の任意選択の実施形態によれば、患者モジュールは、ユーザインターフェース、好ましくはそれぞれの透析処置を制御／セットアップするためのタッチスクリーンをさらに備える。
【００２０】
本発明の任意選択の実施形態によれば、患者モジュールは、小型デバイスとして構成されており、および／または、患者モジュールは、格納式壁掛けまたは可動スタンド上に保持されるよう適応されるように構成されている。
【００２１】
本発明の任意選択の実施形態によれば、透析液モジュールおよびそれぞれの患者モジュールは、ベッドサイド装置として統合されることができる。
【００２２】
本発明の任意選択の実施形態によれば、中央制御された透析処置システムは、処理済み水を透析液調製ユニットに供給するように構成された水処理ユニットをさらに備える。
【００２３】
本発明の任意選択の実施形態によれば、水処理ユニットは、中央制御された複数患者透析処置システムと統合され、好ましくは、透析液調製ユニットと統合されることができる。
【００２４】
本発明の任意選択の実施形態によれば、中央制御された複数患者透析処置システムは、透析液モジュールを個別にすすぎ、および／または消毒することを可能にするために、処理済み水を透析液モジュールに供給するように構成された追加のループをさらに備える。
【００２５】
第１の態様では、１人または複数人の患者の透析処置のための中央制御された複数患者透析処置システムの使用法が提供される。
【００２６】
中央制御された複数患者透析処置システムでは、従来の施設透析インフラストラクチャとは対照的に、コスト節約に加えて、空間効率が非常によい。さらに、中央制御された複数患者透析処置システムは、ロバストであり、セットアップが容易である。
【００２７】
本発明およびその利点が、いくつかの好ましい例示的な実施形態の下記の詳細な説明を以下の図面を参照して読むことによってさらに理解されよう。
【図面の簡単な説明】
【００２８】
【図１】本発明の例示的な実施形態による中央制御された複数患者透析処置システムをブロック図で概略的に示す。
【図２】透析器がパッケージされた患者モジュールの例示的な実施形態を示す。
【図３】図１に類似しているが、透析器が透析液モジュールにパッケージされた、本発明の別の例示的な実施形態による中央制御された複数患者透析処置システムをブロック図で概略的に示す。
【図４】図１および図３に類似しているが、透析液モジュールおよびそれぞれの患者モジュールが小型ベッドサイド装置として統合された、本発明のさらなる例示的な実施形態による中央制御された複数患者透析処置システムをブロック図で概略的に示す。
【図５】本発明の別の例示的な実施形態による中央制御された複数患者透析処置システムの一部分のみをブロック図で概略的に示す。
【図６】中央制御された複数患者透析処置システムの例示的な実際の実施形態を示す。
【好ましい実施形態の詳細な説明】
【００２９】
本発明のいくつかの例示的な実施形態が、本発明の基本概念をよりよく理解するために、図面を参照してより詳細に以下に説明される。
【００３０】
図１は、本発明の例示的な実施形態による中央制御された複数患者透析処置システムをブロック図で概略的に示す。
【００３１】
図１に示すように、中央制御された複数患者透析処置システム１は、主に、進行中の透析処置のために、処方に基づいて透析液を調製し、透析液供給を制御するように構成された透析液調製ユニット２と、透析器４に透析液を供給し、限外濾過プロセスを制御するように構成された１つまたは複数の透析液モジュール３と、透析処置のために透析器４を通る体外血液流を制御するように構成された１つまたは複数の患者モジュール５とを備え、透析液調製ユニット２、透析液モジュール３、および患者モジュール５は、１人または複数人の患者６に好適な統合透析処置システムに組み立てられるよう適応されるように構成される。
【００３２】
単一の機器としての統合透析処置システムは、独立した空間に配設する、例えば、処置エリアに直接配設することができ、よって空間効率がよく、これにより、バスに配設して遠隔地の患者の小グループにサービス提供することさえも可能となる。さらに、統合透析処置システムを迅速に設置して、急速に成長する市場需要を満たすことができ、複数のそのようなシステムを独立して設置して、より高い処置量要件を満たすことができる。さらに、統合透析処置システムは、単一の装置と同程度に簡易に操作および／または維持することができる。
【００３３】
透析液調製ユニット２は、好ましくは透析液分配ループ７によって、透析液モジュール３と流体接続されて、透析液を透析液モジュール３に供給する。
【００３４】
本発明の例示的な実施形態によれば、透析液調製ユニット２は、透析液を、所定の温度、例えば摂氏約３５度に加熱するように構成された加熱モジュールと、処理済み水から空気を除去するように構成された脱気モジュール（dearation module）２１と、粉末の形態の少なくとも１つの濃縮物カートリッジ２３から液体濃縮液を調製するように構成された濃縮液調製モジュール２２と、要求に応じて、処方された混合比で濃縮液と処理済み水を混合するように構成された調合ユニット２４と、透析液分配ループ７の前に配設され、衛生管理を強化するように構成されたＥＴＲＦ２５とのうちのいずれか１つまたは複数を備え得る。好ましくは、透析液調製ユニット２は、上記部品のすべてを備える。
【００３５】
本発明の例示的な実施形態によれば、加熱モジュールは、排水管２０２内の廃棄透析液からの熱を処理済み水に交換するように構成された熱交換器２０１と（排水管２０２は、図１に破線で示す）、処理済み水が脱気モジュール２１に入る前に、処理済み水を、所定の温度、例えば摂氏約３５度に加熱するように構成されたプレヒータ２０３と、透析液分配ループ７の端部に設置され、透析液分配ループ７内で、透析液を、所定の温度、例えば摂氏約３５度に保つように構成されたフローヒータ２０４とのうちのいずれか１つまたは複数をさらに備える。好ましくは、加熱モジュールは、上記部品のすべてを備える。
【００３６】
熱交換器２０１により、廃棄透析液からの廃熱を回収することが可能となり、それによって、システム全体のエネルギー効率が向上する。
【００３７】
プレヒータ２０３は、熱交換器２０１によって加熱された後の処理済み水の温度に基づいてプレヒータ２０３が制御されることができるように、熱交換器２０１の下流に配設される。さらに、プレヒータ２０３は、より効率的に処理済み水から空気を除去するために処理済み水の温度の制御を容易にするように脱気モジュール２１の上流に配設される。
【００３８】
図１からもわかるとおり、水は脱気モジュール２１を流れ、次いで調合ユニット２４に入る。濃縮液調製モジュール２２は、調合ユニット２４と流体接続されて、調製された液体濃縮液を調合ユニット２４に供給する。
【００３９】
液体濃縮液は、上述のように少なくとも１つの乾燥電力カートリッジから調製され、その結果、取り扱いおよび保管に必要な労力および空間を節約することができる。
【００４０】
代替の実施形態として、濃縮液は、液体の形態で、濃縮液コンテナまたは多人数用供給システム（ＣＤＳ）から直接供給されることができる。この実施形態の条件では、濃縮液調製モジュール２２を省略できる。
【００４１】
本発明の例示的な実施形態によれば、調合ユニット２４によって生成されることになる透析液の量は、個々の患者モジュール５からの信号フィードバックに基づき得る。
【００４２】
本発明の例示的な実施形態によれば、高速循環流および新しい透析液を透析液モジュール３に入れるための保圧を生じさせるように、フローポンプ２６が透析液分配ループ７に配設され得る。保圧は、透析液モジュール３内の新しい透析液流の動力駆動（power drive）がなくなるようにするものであり得る。
【００４３】
透析液分配ループ７は、設置プロセスを簡易かつ迅速にするために、現場でカスタム設置されるか、予め製作された立方体内に予め設置されているかのいずれかであり得る。
【００４４】
さらに図１に示すように、消毒剤キャニスタ２７が調合ユニット２４と流体接続され、その結果、消毒剤キャニスタ２７に貯蔵された化学消毒剤が、所望に応じて調合ユニット２４に供給されて、システム消毒を実施することができる。
【００４５】
本発明の例示的な実施形態によれば、透析液調製ユニット２は、中央制御された複数患者透析処置システム１の透析液調製パラメータおよび／または中央制御された複数患者透析処置システム１に接続された患者モジュールの処置ステータスをモニタおよび／または制御するための中央ステーションとして構成される。中央ステーションは、透析液調製ユニット２を制御することができるだけでなく、進行中のすべての処置もモニタすることができる中央モニタディスプレイを備える。
【００４６】
本発明の例示的な実施形態によれば、透析液調製ユニット２は、キャビネット形状の形態で構成される（以下の図６に示す）。
【００４７】
本発明の例示的な実施形態によれば、透析液モジュール３は、透析液をそれぞれの患者モジュール５に分配するように透析液分配ループ７と流体連通され、ここにおいて、透析液モジュール３は、透析液流の透析液温度を制御するように構成された透析温度制御モジュール３１と、限外濾過（ＵＦ）ポンプ３３を用いて透析処置における限外濾過を制御するように構成されたバランシングシステム３２とのうちのいずれか１つまたは複数を備え得、ＵＦポンプ３３は、透析処置における限外濾過量を制御するようにさらに構成されている。好ましくは、透析液モジュール３は、上記部品のすべてを備える。
【００４８】
本発明の例示的な実施形態によれば、透析温度制御モジュール３１は、バランシングシステム３２の前に配設され、ならびに、特に別個の処理済み水ループを通る逆浸透水の使用とは無関係に、処方された処置温度におよび／または加熱消毒のために透析液を加熱するように構成された透析液ヒータをさらに備える。
【００４９】
本発明の例示的な実施形態によれば、透析液モジュール３は、透析液分配ループ７に向かう逆流汚染を防止するための逆流防止器３４をさらに備える。好ましくは、逆流防止器３４は、透析液モジュール３の透析液流入流路に配設される。
【００５０】
本発明の例示的な実施形態によれば、逆流防止器３４は、ロバストな逆流分離手段を有する透析液分配ループと流体連通される。
【００５１】
本発明の例示的な実施形態によれば、透析液モジュール３は、バランシングシステムに向かう流入経路において必要な安定した負荷圧力を維持するための圧力レギュレータ３５をさらに備える。好ましくは、圧力レギュレータ３５は、逆流防止器３４の下流に配設される。このような概念により、バランシングシステム３２のバランシングチャンバに新しい透析液を入れるためのフローポンプをなくすことができ、よって、簡易化した設計を達成することができる。
【００５２】
本発明の例示的な実施形態によれば、透析液モジュール３は、コネクタによって透析液分配ループ７に取り外し可能に接続され、これにより、設置およびメンテナンスプロセスがさらに簡易になる。
【００５３】
透析処置において、患者６の血液は、チュービングセットを介して透析器４および患者６間を流れる。したがって、体外血液流のための流路は、透析器４およびチュービングセットを備える。
【００５４】
本発明の例示的な実施形態によれば、図１に示すように、患者モジュール５は、体外回路５１を備える。この実施形態では、透析器４は、患者モジュール５にパッケージされている。透析器４の透析液ポートは、透析液ラインのペアを介して透析液モジュールに接続される。図２は、そのような例示的な実施形態を示す。
【００５５】
図２にさらに示すように、患者モジュール５は、ユーザインターフェース５２、好ましくは、それぞれの透析処置を制御／セットアップするためのタッチスクリーンをさらに備える。
【００５６】
本発明の例示的な実施形態によれば、タッチスクリーンは、より容易にそれぞれの透析処置を制御／セットアップするためにグラフィカルユーザインターフェースを用いて具現化される。
【００５７】
本発明の例示的な実施形態によれば、患者モジュール５は、小型デバイスとして構成される。小型デバイスは、格納式壁掛けまたは可動スタンド上に保持されるよう適応されるように構成され得る。このような設計により、患者６に近づけることが可能となり、それによって血液ラインの長さが減少する。
【００５８】
本発明の例示的な実施形態によれば、患者モジュール５は、電力損失の場合の内蔵のバックアップバッテリを有する。
【００５９】
透析器４を除いて、患者モジュール５は、透析液と接触せず、それにより、消毒の必要がなく、使用ごとに清潔に拭くだけで十分である。
【００６０】
衛生管理を強化するために、透析液分配ループ７および透析液モジュール３への接続部は、可能な限り短くされる。したがって、透析液調製ユニット２は、複数の透析装置をセットアップし動作させることが実行可能な容量を有するように保たれる。８人の患者を治療するための容量の場合の透析液分配ループ７の典型的な長さは、約１５メートルである。並行して高流量透析処置を提供するためにＥＴＲＦ２５が使用される。欠陥のある透析液モジュール３は、休止時間を最小限にするために、別のものと容易に交換することができる。中央制御された複数患者透析処置システム１が、透析液消費量が少ないまたは全くないまま長時間動作している場合、水圧路内の透析液は、所定の様式で新しくされることになる。
【００６１】
本発明の例示的な実施形態によれば、図１に示すように、中央制御された複数患者透析処置システム１は、処理済み水を透析液調製ユニット２に供給するように構成された水処理ユニット８をさらに備える。
【００６２】
本発明の例示的な実施形態によれば、水処理ユニット８は、中央制御された複数患者透析処置システム１と統合され、好ましくは、透析液調製ユニット２と統合されることができる。
【００６３】
図３は、本発明の別の例示的な実施形態による中央制御された複数患者透析処置システムをブロック図で概略的に示し、これは、図１に類似しているが、好ましくは透析器の流入ポートおよび流出ポートをそれぞれのレセプタクルまたは透析液ラインにプラグ接続することによって、透析器４が透析液モジュール３にパッケージされている。
【００６４】
このような設計により、透析器４と接続される透析液ラインがなくなり、これにより、動作効率を高めるだけでなく衛生管理もさらに改善する。流体量が少なくなり、熱損失への曝露が少なくなるので、温度制御および加熱消毒プロセスがより効率的になり得る。
【００６５】
図４は、本発明のさらなる例示的な実施形態による中央制御された複数患者透析処置システムをブロック図で概略的に示し、これは、図１および図３に類似しているが、透析液モジュールおよびそれぞれの患者モジュールが小型のベッドサイド装置９として統合されている。
【００６６】
図５は、本発明の別の例示的な実施形態による中央制御された複数患者透析処置システムの一部分のみをブロック図で概略的に示す。図５に示すように、中央制御された複数患者透析処置システム１は、透析液モジュール３を個別にすすぎ、および／または消毒することを可能にするために、処理済み水を透析液モジュール３に供給するように構成された追加のループ１０をさらに備える。好ましくは、追加のループ１０は、透析液分配ループ７と平行に延びる。
【００６７】
さらに、透析液モジュール３は、消毒剤ポートまたは内蔵の補充可能な消毒剤カートリッジのいずれかを介して化学消毒剤を吸引することができる。水圧路内の流体を、消毒プロセスに必要な温度に加熱するために内部ヒータが設けられ得る。
【００６８】
本発明の例示的な実施形態によれば、中央制御された複数患者透析処置システム１は、図６に示すように構成されることができる。図６に示すように、中央制御された複数患者透析処置システム１は、逆浸透フィルタからベッドサイド処置デバイスまでオールインワン透析処置システムである。本システムは、接続された処置モジュールを介して複数人の患者を治療することができる。透析装置の中核となる一部の機能的な水圧構成要素を中央ユニットに統合することによって、スリム構造の処置モジュールを低コストで実現することができる。従来の施設透析インフラストラクチャとは対照的に、コスト節約に加えて、空間効率が非常によい。さらに、中央制御された複数患者透析処置システム１は、ロバストであり、セットアップが容易である。
【００６９】
ある特定の実施形態が説明されてきたが、これらの実施形態は例として提示されているだけであり、本発明の範囲を限定することを意図するものではない。添付の特許請求の範囲およびそれらの同等物は、本発明の趣旨および範囲内に入る修正、置換、および変更をすべて網羅することを意図している。
【図１】
2022501088.tif 000003
【図２】
2022501088.tif 000004
【図３】
2022501088.tif 000005
【図４】
2022501088.tif 000006
【図５】
2022501088.tif 000007
【図６】
2022501088.tif 000008
【手続補正書】
【提出日】令和3年3月22日(2021.3.22)
【手続補正１】
【補正対象書類名】明細書
【補正対象項目名】００６８
【補正方法】変更
【補正の内容】
【００６８】
本発明の例示的な実施形態によれば、中央制御された複数患者透析処置システム１は、図６に示すように構成されることができる。図６に示すように、中央制御された複数患者透析処置システム１は、逆浸透フィルタからベッドサイド処置デバイスまでオールインワン透析処置システムである。本システムは、接続された処置モジュールを介して複数人の患者を治療することができる。当業者は、患者モジュール５が、図６では、患者モジュール５を保持するためのホルダとしての働きをする可動スタンド上に保持されることが示されているが、患者モジュール５が、上述のように格納式壁掛けでも保持され得ることを理解し得、これは、例えば、図１および図３に示すように、本願の技術的思想から逸脱するものではない。透析装置の中核となる一部の機能的な水圧構成要素を中央ユニットに統合することによって、スリム構造の処置モジュールを低コストで実現することができる。従来の施設透析インフラストラクチャとは対照的に、コスト節約に加えて、空間効率が非常によい。さらに、中央制御された複数患者透析処置システム１は、ロバストであり、セットアップが容易である。
【国際調査報告】
2022501088.tif 000009
2022501088.tif 000010
2022501088.tif 000011
2022501088.tif 000012